(57)【要約】【課題】軽量で使用時の取り扱いが極めて簡便であり、更に水濡れの恐れがある河川や海浜及び船舶搭載でも使用できる防滴・防水機能を有した、応用範囲の広い太陽光発電電源装置を提供する。【解決手段】使用時には、本体ケースと本体ケースの外面に円筒状に巻き取られたシート状の太陽電池を外部ケースから取り出しシート状の太陽電池を引き伸ばすだけで取り扱いがきわめて簡単であり、収納時には、圧力バランス保持完全防水機構を有している外部ケースに収納するので水濡れしても浸水による機能損傷がなく、アウトドアーや災害時更には船舶搭載などにも対応できる取り扱いが極めて簡便で利便性が高い太陽光発電電源装置。【選択図】図１
2012084822.tif 000002
【特許請求の範囲】
【請求項１】
透明で中空の本体ケースと、
本体ケースの外面に円筒状に巻き取られた状態で収納されるシート状の太陽電池と、
シート状の太陽電池と本体ケースを電気的に接続する本体ケースの側端部に設けられた接続口と
シート状の太陽電池から得られた電気エネルギーを電力として供給する本体ケース内のスペースに収納された電力供給回路及び電力を蓄電するバッテリー及び照明と、
本体ケースの側端部に設けられた防滴カバーを有する複数の種類の器機差込口と、
本体ケースと本体ケースの外面に円筒状に巻き取られたシート状の太陽電池を内部スペースに収納する圧力バランス保持部材及びシール部材を備えた外部ケースと、
からなる太陽光発電電源装置であって、
本体ケースは防滴機構を有し、外部ケースは圧力バランス保持完全防水機構を有しており、二重構造で水濡れに対応できる構造であることを特徴とする太陽光発電電源装置。
【請求項２】
シート状の太陽電池は片方の先端部が接続部材で本体ケースに取り付けられており、接続部材を開放することで本体ケースから取り外し可能であることを特徴とする請求項１記載の太陽光発電電源装置。
【請求項３】
透明で中空の本体ケース内に収納された電力供給回路やバッテリー及び照明は可視化されていることを特徴とする、請求項１記載の太陽光発電電源装置。
【発明の詳細な説明】
【技術分野】
【０００１】  本発明はシート状の太陽電池と電力供給回路及びバッテリーを収納した防滴機構を有した本体ケースが、圧力バランス保持完全防水機構を有した外部ケースに一体として収納されており、水濡れに対応できる構造であり、軽量で使用時の取り扱いが極めて簡便な携帯型の太陽光発電電源装置に関する。
【背景技術】
【０００２】  シート状の太陽電池を利用し、任意の場所に移動して使用できる太陽光発電装置は各種公開されているが利用用途が広がるとともに利便性が求められている。
特開２００６−８６２０３号公報には、太陽光発電シートが円筒状のケース内に設けてある巻き取りドラムに、引き伸ばし可能に巻き取って収納されており、太陽光発電シートを引き伸ばし及び巻き取る際には、巻き取り手段を用いて巻き取りドラムを回転させて行う構造の太陽光発電装置が記載されている。
また、太陽光発電シートの先端には先端係止部材が設けられている。
また、これ以外に得られた電気エネルギーを電力として供給する電気制御装置が設けられている。
【先行技術文献】
【特許文献】
【０００３】  意匠１２４６６９６号公報には、柔軟性のあるシート状の太陽電池が円筒状のケース内に設けられた巻取りドラムに巻き取られた状態で収納されており、使用する際には引き出す構造の太陽光発電電源装置が記載されている。太陽電池を引き出し及び巻き取る際には、ケース内に収納されている巻取りハンドルを引き出し、このハンドルを使用して巻き取りドラムを回転させて行う構造である。
また、接続した器機に電力を供給する器機接続部が設けてあり、電力を蓄電するバッテリーが内蔵されている。
太陽電池を引き出して使用する際には、それぞれ片方がボールジョイントで固定されており、自由に可動する二本のスタンドの端を太陽電池の先端に設けられた部材のヒモ固定用穴にはめる事で太陽電池にテンションをかけて自立させることができる構造である。
【特許文献１】特開２００６−８６２０３号公報
【特許文献２】意匠１２４６６９６号公報
【発明の概要】
【発明が解決しようとする課題】
【０００４】  これらの文献に記載されている太陽光発電装置や電源装置は、いずれもシート状の太陽電池をケース内に巻き取るための巻き取りドラムと、ドラムを回転させるための巻き取り手段や巻き取りハンドルとで構成されているので、いずれも余分な部材が必要となり、複雑な構成となっているので取り扱い上の利便性に問題がある。【０００５】  文献１及び文献２のいずれも防滴機構および防水機構はなく、使用時には水濡れを回避する必要があり、河川や海浜などでは使用できず使用範囲が制限される。【０００６】  従って、本願発明の目的は、余分な部材を必要としない軽量で使用時の取り扱いが極めて簡便であり、更に水濡れの恐れがある河川や海浜及び船舶搭載でも使用できる、応用範囲の広い太陽光発電電源装置を提供することにある。
【課題を解決するための手段】
【０００７】  そこでこれらの問題を解決する本願発明は、透明で中空の本体ケースと、本体ケースの外面に円筒状に巻き取られた状態で収納されるシート状の太陽電池と、シート状の太陽電池と本体ケースを電気的に接続する本体ケースの側端部に設けられた接続口とシート状の太陽電池から得られた電気エネルギーを電力として供給する本体ケース内のスペースに収納された電力供給回路及び電力を蓄電するバッテリー及び照明と、本体ケースの側端部に設けられた防滴カバーを有する複数の種類の器機差込口と、本体ケースと本体ケースの外面に円筒状に巻き取られたシート状の太陽電池を内部スペースに収納する圧力バランス保持部材及びシール部材を備えた外部ケースと、からなる太陽光発電電源装置であって、本体ケースは防滴機構を有し、外部ケースは圧力バランス保持完全防水機構を有しており、二重構造で水濡れに対応できる構造であることを特徴とする。【０００８】  また、シート状の太陽電池は片方の先端部が接続部材で本体ケースに取り付けられており、接続部材を開放することで本体ケースから取り外し可能であることを特徴とする【０００９】  透明で中空の本体ケース内に収納された電力供給回路やバッテリー及び照明は可視化されていることを特徴とする。
【発明の効果】
【００１０】  本願発明は、透明で中空の本体ケースと、本体ケースの外面に円筒状に巻き取られた状態で収納されるシート状の太陽電池とが、外部ケースに収納されている構造であるので、本体ケースと、本体ケースの外面に円筒状に巻き取られた状態で収納されるシート状の太陽電池を外部ケースから取り出して、太陽電池を引き伸ばすだけで使用可能となる。【００１１】  本体ケースは透明で中空の部材と、その部材の両端面に取り付けられた内部の防滴を保持するための部材とで構成され、また両端面に取り付けられた部材に取り付けられた複数の器機差込口には防滴カバーが取り付けられており、さらにシート状の太陽電池自体も防滴機能を有していることから、水濡れに対応できる防滴構造となっているので、河川や海浜及び船舶搭載など水濡れの恐れがある場所でも使用が可能である。【００１２】  外部ケースは中空の部材と、その部材の片側の端部を完全に密閉する部材と、反対側の端部は圧力バランス保持部材が取り付けてある着脱可能で装着時には内部への浸水を完全に防止するシール部材を有した蓋から構成されていることから、完全防水機能を有した機構であり、河川や海浜及び船舶搭載など水濡れの恐れがある場所でも使用でき、さらに船舶に搭載した時海難等で水中に放出されても浸水による機能損傷はなく、軽量なため水面に浮遊している本装置を回収して救命艇や救命筏等で直ちに使用出来る。【００１３】  本体ケースと、本体ケースの外面に円筒状に巻き取られた状態で収納されるシート状の太陽電池とは、本体ケース保持部材で外部ケースの内部スペースに保持される二重構造となっており、また急激な温度変化や圧力変動が生じた場合にも外部ケースの端部に取り付けられている圧力バランス保持部材により内部に結露を生じさせない構造となっている。【００１４】  シート状の太陽電池は片方の先端部が太陽電池接続部材で本体ケースに取り付けられており、太陽電池接続部材を開放することで本体ケースから取り外しが可能であるので、太陽に対して最適の角度で使用することが出来る。【００１５】  また、シート状の太陽電池は本体ケースの外面に円筒状に巻き取られ本体ケースと一体化して外部ケースに収納されるので、収納するための巻き取りドラムと巻き取り手段や巻き取りハンドル等の余分な部材を必要とせず、軽量で簡単な構造となっており、また故障も少ない。【００１６】  本体ケースは透明ため、本体ケース内に収納されている電力供給回路やバッテリー及び照明が可視化された構造で、教材として使用する際には教育効果の増大が期待出来る。また内部に装着した照明部材を点灯させることで夜間には簡易照明として使用できる構造である。【００１７】  上記のとおり使用時の取り扱いが極めて簡単であり、また水濡れの恐れがある場所でも使用可能で利便性が高いため、アウトドアや災害時、更に船舶に搭載するなど商用電源のない場合の独立電源として簡便に利用でき、応用範囲が著しく拡張する。
【図面の簡単な説明】
【００１８】
【図１】本願発明の実施例による太陽光発電電源装置の概略構成図
【図２】本願発明の実施例によるケース内部の概略構成図
【図３】断面図
【図４】太陽電池をセットした状態を表した図面（１）
【図５】太陽電池をセットした状態を表した図面（２）
【図６】器機が接続されている図面
【発明を実施するための最良の形態】
【００１９】  以下、本願発明の実施例を図１〜６に基づいて説明する。
図１は本願発明の実施例を示すもので、この実施例の太陽光発電電源装置１は、透明で中空の本体ケース２と、本体ケース２の外面に円筒状に巻き取られた状態で収納され、引き伸ばして使用するシート状の太陽電池３と、本体ケース２の側端部に器機差込口のＵＳＢソケット７、シガーソケット８、が設けられている構造であり、さらに本体ケースと本体ケースの外面に円筒状に巻き取られたシート状の太陽電池を内部スペースに収納する外部ケース１２とで構成されている。なお本図面は外部ケース１２の内部に収納される本体ケース２とシート状の太陽電池３を表示するために外部ケース１２の中央部分を切断した図面となっている。【００２０】  図２は本体ケース２と本体ケースの外面に円筒状に巻き取られたシート状の太陽電池３が外部ケース１２の内部に収納されている状態の内部構造を示す図面である。
本体ケース２の内部のスペースに太陽電池３から得られた電気エネルギーを電力として供給する電力供給回路４と、電力を蓄電するバッテリー５と、照明部材６とが収納されており、本体ケース２と本体ケースの外面に円筒状に巻き取られた状態で収納されるシート状の太陽電池３とは、本体ケース保持部材１６で外部ケースの内部スペースに保持される二重構造となっている。また外部ケース１２は中空の部材と、その部材の片側の端部を完全に密閉する部材と、反対側の端部は圧力バランス保持部材１３が取り付けてある着脱可能で装着時には内部への浸水を完全に防止するシール部材１４を有した蓋１５から構成されており完全防水機能を有した機構である。
本体ケースは防滴機構を有し、また外部ケースは圧力バランス保持完全防水機構となっており、水濡れに対応できる構造となっているので、河川や海浜及び船舶搭載など水濡れの恐れがある場所でも使用できる。さらに船舶に搭載した時海難等で水中に放出されても浸水による機能損傷はなく、軽量なため水面に浮遊している本装置を回収して救命艇や救命筏等で直ちに使用出来る。【００２１】  図３は断面を示す図面で、バッテリー５は本体ケース２内に固定して取り付けられているセンタリングバー１０の上段部分に配置し、電力供給回路４はセンタリングバーの下段部分に配置してあるので本体ケース２がどのような角度に設置されてもバランスがよく使用する際に安定する。【００２２】  図４はシート状の太陽電池３をセットした状態を表した図面で、本体ケース２の外面に円筒状に巻き取られた状態で収納されているシート状の太陽電池３を引き伸ばし配線を接続口９に差し込むだけでセットされた状態になり、引き伸ばしたシート状の太陽電池３は太陽電池接続部材１１で本体ケースに接続すれば容易に固定することが出来る。また、収納する際にはシート状の太陽電池を本体ケースの外面に沿って巻き取り本体ケースと一緒に外部ケースに挿入するだけで容易に収納することが出来る。【００２３】  また図５に示すように、太陽電池接続部材を開放すればシート状の太陽電池を自在に取り外すことが出来るので、太陽に最適の角度に設置することが出来で効率よく発電を行うことが出来る。【００２４】  図６は器機が接続されている図面で、本体ケースの側端部に設けられた器機差込口に器機を接続して使用している状態を示す。取り扱いが極めて簡便で利便性が高く、さらに防滴・防水機能を有しているので独立電源として普及が進展し、アウトドアや災害時、さらには船舶搭載など商用電源のない場所での有効利用が拡大できる。
【符号の説明】
【００２５】１・・太陽光発電電源装置
２・・本体ケース
３・・太陽電池
４・・電力供給回路
５・・バッテリー
６・・照明部材
７・・ＵＳＢソケット
８・・シガーソケット
９・・接続口
１０・・センタリングバー
１１・・太陽電池接続部材
１２・・外部ケース
１３・・圧力バランス保持部材
１４・・シール部材
１５・・蓋
１６・・本体ケース保持部材
【図１】
2012084822.tif 000003
【図２】
2012084822.tif 000004
【図３】
2012084822.tif 000005
【図４】
2012084822.tif 000006
【図５】
2012084822.tif 000007
【図６】
2012084822.tif 000008